(57)【要約】【課題】曲面状の法面であっても隙間なく隣接するブロック同士を強固に結合することができ、しかも、緑化ブロックとしても有効である法面ブロックおよびこの法面ブロックを使用した擁壁を提供する。【解決手段】傾斜した法面Ｗに施工される法面ブロック１０であって、法面ブロック１０が、前壁１１と、後壁１２と、両者の間に設けられた側壁１３とを備えており、前壁１１の幅方向長さが、後壁１２の幅方向長さよりも短くなるように形成されている。曲面状の法面Ｗであっても隣接する法面ブロック１０間に隙間ができないように施工することができ、隣接する法面ブロック１０の側壁１３同士の間には法面Ｗと連続する空間が形成されるから、法面ブロック１０と法面Ｗとの接触面積を大きくすることができ、法面ブロック１０と法面との結合を強くすることができる。【選択図】図１
2006144306.tif 000002
【特許請求の範囲】
【請求項１】
傾斜した法面に施工される法面ブロックであって、
該法面ブロックが、
前壁と、後壁と、両者の間に設けられた側壁とを備えており、
前記前壁の幅方向長さが、前記後壁の幅方向長さよりも短くなるように形成されている
ことを特徴とする法面ブロック。
【請求項２】
前記前壁の幅方向における一方の端部は、その前面が、該前壁の幅方向における他方の端部の厚さだけ、該前壁の幅方向中央部の前面に対して前記後壁側に位置するように形成されている
ことを特徴とする請求項１記載の法面ブロック。
【請求項３】
前記法面ブロックの素材が、ポーラスコンクリートであり、
前記前壁の前面に、上面に土砂を載せうる棚部が形成されている
ことを特徴とする請求項１記載の法面ブロック。
【請求項４】
前記法面ブロックが、一対の側壁を備えており、
該一対の側壁が、前記前壁から前記後壁に向って両者の間隔が狭くなるように傾斜している
ことを特徴とする請求項１記載の法面ブロック。
【請求項５】
前記法面ブロックが、一対の側壁を備えており、
該一対の側壁と前記前壁、前記後壁に囲まれ、内部に土砂を保持しうる中空な保持空間を備えている
ことを特徴とする請求項１記載の法面ブロック。
【請求項６】
請求項１、２、３、４または５記載の法面ブロックにより形成された擁壁であって、
隣接する前記法面ブロックの側壁間に形成される胴込空間に、胴込材が充填されており、該胴込材がコンクリートである
ことを特徴とする擁壁。
【請求項７】
前記擁壁が、前記法面ブロックと該法面ブロックが配置されている法面との間に裏打材を備えており、
該裏打材がコンクリートである
ことを特徴とする請求項６記載の擁壁。
【発明の詳細な説明】
【技術分野】
【０００１】
本発明は、法面ブロックおよびこの法面ブロックを使用した擁壁に関する。山や河岸の斜面等の法面には、その法面の崩壊を防ぐために、複数の法面ブロックを積み重ねて擁壁が構築される。かかる擁壁では、法面から加わる土圧を支持しなければならないため、擁壁としてある程度の重量が必要であり、また、擁壁を構成する法面ブロックが崩れるのを防ぐためには法面ブロック同士および法面ブロックと法面との結合を強くしなければならない。
本発明はかかる斜面の崩壊を防ぐために使用される法面ブロックおよびこの法面ブロックを使用した擁壁に関する。
【背景技術】
【０００２】
法面ブロックを使用して擁壁を形成する場合、法面ブロックを、山や河岸の斜面等の法面に沿って積み重ねた後、隣接する法面ブロック同士をコンクリートにより結合し、また、斜面と法面ブロックとの間に裏込材としてコンクリートを打設し、このコンクリートと法面ブロックを結合させる。
【０００３】
しかるに、一般的な法面ブロックはその側面同士を突き合わせて施工されるため、法面が曲面となっている場合には、隣接する法面ブロック同士の間に隙間ができないように施工するのは不可能である。すると、隣接する法面ブロック同士の間に隙間ができてしまうから、隣接する法面ブロック同士の結合が弱くなるし、外観も悪くなってしまう。
【０００４】
そこで、従来から、曲面となっている法面に施工しても、隣接するブロック間に隙間ができないように並べることができる擁壁ブロックが開発されている（例えば、特許文献１）。
この擁壁ブロックは、前壁、後壁を備え、両壁間が中梁によって連結された平面略Ｉ字状に形成されており、隣接する擁壁ブロックの前壁、後壁の端部同士を重ね合わせて配置することができるように構成されている。このため、隣接する擁壁ブロックの前壁、後壁の端部同士を重ね合わせる長さや重ね合わせる角度を変えることによって、曲面となっている法面であっても隣接するブロック間にすき間ができないよう擁壁を形成することができる。
【０００５】
しかるに、この擁壁ブロックは、隣接する擁壁ブロックの前壁・後壁同士をいずれも重ね合わせて配置するから、隣接する擁壁ブロック間には、擁壁ブロックを設けた法面と連続する空間ができない。つまり、この擁壁ブロックはその後壁の背面しか法面と接触しないため、擁壁ブロックと法面の接触面積が小さくなり、擁壁ブロックと法面の結合が弱くなるという問題がある。
【０００６】
【特許文献１】特開平１１−１２４８６６号
【発明の開示】
【発明が解決しようとする課題】
【０００７】
本発明は上記事情に鑑み、曲面状の法面であっても隙間なく隣接するブロック同士を強固に結合することができ、しかも、緑化ブロックとしても有効である法面ブロックおよびこの法面ブロックを使用した擁壁を提供することを目的とする。
【課題を解決するための手段】
【０００８】
第１発明の法面ブロックは、傾斜した法面に施工される法面ブロックであって、該法面ブロックが、前壁と、後壁と、両者の間に設けられた側壁とを備えており、前記前壁の幅方向長さが、前記後壁の幅方向長さよりも短くなるように形成されていることを特徴とする。
第２発明の法面ブロックは、第１発明において、前記前壁の幅方向における一方の端部は、その前面が、該前壁の幅方向における他方の端部の厚さだけ、該前壁の幅方向中央部の前面に対して前記後壁側に位置するように形成されていることを特徴とする。
第３発明の法面ブロックは、第１発明において、前記法面ブロックの素材が、ポーラスコンクリートであり、前記前壁の前面に、上面に土砂を載せうる棚部が形成されていることを特徴とする。
第４発明の法面ブロックは、第１発明において、前記法面ブロックが、一対の側壁を備えており、該一対の側壁が、前記前壁から前記後壁に向かって両者の間隔が狭くなるように傾斜していることを特徴とする。
第５発明の法面ブロックは、第１発明において、前記法面ブロックが、一対の側壁を備えており、該一対の側壁と前記前壁、前記後壁に囲まれ、内部に土砂を保持しうる中空な保持空間を備えていることを特徴とする。
第６発明の擁壁は、第１、２、３、４または第５発明の法面ブロックにより形成された擁壁であって、隣接する前記法面ブロックの側壁間に形成される胴込空間に、胴込材が充填されており、該胴込材がコンクリートであることを特徴とする。
第７発明の擁壁は、第６発明において、前記擁壁が、前記法面ブロックと該法面ブロックが配置されている法面との間に裏打材を備えており、該裏打材が、コンクリートであることを特徴とする。
【発明の効果】
【０００９】
第１発明によれば、隣接するブロックにおいて、前壁における幅方向の端部同士を重ね合わせた状態で施工することができるので、重ね合わせる長さや角度を調整すれば、曲面状の法面であっても隣接するブロック間に隙間ができないように施工することができる。また、後壁の幅方向の長さが前壁の幅方向の長さよりも短いので、前壁の端部同士を重ね合わせても、後壁の端部間には隙間を形成することができる。すると、隣接するブロックの側壁同士の間には法面と連続する空間が形成されるから、ブロックと法面との接触面積を大きくすることができ、ブロックと法面との結合を強くすることができる。しかも、幅方向の端部同士が重ね合わされており両者が面接触しているから、空間に土砂やコンクリートを充填しても、端部同士の間から土砂やコンクリート等が漏れることを防ぐことができ、土砂やコンクリート等の漏れによる擁壁の強度の低下も防ぐことができる。さらに、空間部分にコンクリートを打設することも可能となるので、法面ブロックの重量を大きくでき、法面ブロックを高く積むことが可能となる。
第２発明によれば、側面同士を突き合わせて配置するブロックと同様の配置で本発明のブロックを並べても、隣接するブロックの端部同士を重ね合わせることができるから、法面ブロックを容易かつ安定した状態で並べることができる。しかも、一方の端部前面が前壁の中央部の前面から引っ込んでおり、その引っ込んでいる長さが他方の端部の厚さとほぼ同じであるから、一方の端部を他方の端部と重ねても、隣接するブロックの前壁前面をスムーズに連続した面とすることができるから、擁壁の外観も美しくすることができる。
第３発明によれば、棚部上面に土砂等が堆積すれば、その部分に植物を生育させることができる。しかも、ブロックがポーラスコンクリートであるから、その隙間を通して水分が棚部に供給されるし、また、棚部の植物の根がブロック内に形成されている隙間を通して法面の土等まで伸びることができるから、植物を長期間に生育させることができる。よって、ブロックによって形成された擁壁を簡単に緑化することができる。
第４発明によれば、隣接するブロックの側壁間に形成される空間は、前壁から後壁に向って広くなるように形成されるから、隣接するブロック間にコンクリートを流し込むときに、流動抵抗を少なくできる。よって、隣接するブロックの側壁間に隙間ができないようにコンクリートを打設することができる。
第５発明によれば、保持空間を備えているから、ブロック自体の重量を軽くすることができる。そして、保持空間内に土砂等を入れれば重量を重くすることができるので、法面ブロックを高く積むことが可能となる。
第６発明によれば、胴込空間に胴込材としてコンクリートが充填されているから、隣接するブロック同士を強固に結合することができる。しかも、擁壁の重量を増加させることができるので、法面ブロックを高く積むことができ、擁壁の高さを高くすることができる。
第７発明によれば、法面ブロックと、胴込空間内のコンクリートおよび裏打材のコンクリートを一体化することができるので、擁壁の強度を高くすることができる。しかも、裏打材のコンクリートの分だけ擁壁の重量を増加させることができるので、擁壁の高さをさらに高くすることが可能となる。
【発明を実施するための最良の形態】
【００１０】
つぎに、本発明の実施形態を図面に基づき説明する。
図１は本実施形態の法面ブロック１０の単体図であって、（Ａ）は平面図であり、（Ｂ）は正面図であり、（Ｃ）は（Ａ）のＣ−Ｃ線断面図である。同図に示すように、本実施形態の法面ブロック１０は、前壁１１と、この前壁１１と略平行に設けられた後壁１２とを備えている。後壁１２は、その幅方向長さ（図１では左右方向の長さ）が、前記前壁１１の幅方向長さよりも短くなるように形成されており、この後壁１２の両端と、前記前壁１１の両端部との間には一対の側壁１３，１３が設けられている。この一対の側壁１３，１３は、前壁１１から後壁１２に向うに従い、両者の間壁が狭くなるように、前壁１１および後壁１２に対して傾斜するように配設されている（図１（Ａ）参照）。
なお、一対の側壁１３，１３は前壁１１および後壁１２に直交するように設けてもよい。
【００１１】
また、図１に示すように、一対の側壁１３，１３と前壁１１との連結部は、前壁１１の幅方向端部より内方に位置している。言い換えれば、前壁１１の幅方向端部11A,11C同士は、一対の側壁１３，１３よりも外方に突出している。そして、一方の端部11A（図１では右側）は、その前面が前壁１１の中央部11Bより後方、つまり、後壁１２側に位置するように形成されており、一方の端部11Aの前面と中央部11Bの前面距離Ｄ１は、他方の端部11Cの厚さｔとほぼ同等となるように形成されている。
【００１２】
つぎに、本実施形態の法面ブロック１０を使用して形成された擁壁１について説明する。
図２は本実施形態の法面ブロック１０を法面Ｗに施工した状態の説明図であって、（Ａ）は空積構造の説明図であり、（Ｂ）は半練積構造の説明図であり、（Ｃ）は練積構造の説明図である。図３は（Ａ）は本実施形態の法面ブロック１０を曲面状の法面Ｗに施工した状態の説明図であり、（Ｂ）は法面ブロック１０によって形成された擁壁１の概略断面図である。
【００１３】
図２および図３（Ｂ）に示すように、擁壁１を形成する法面Ｗにおいて、法面ブロック１０における後壁１２の背面を法面Ｗに密着させて、隣接する法面ブロック１０の端部11Aと端部11Cとが重なり合うように法面Ｗに沿って水平方向（横方向）に並べ、かつ、上方に積みあげれば、法面ブロック１０により擁壁１を形成することができる。
すると、図２に示すように、形成された擁壁１では、隣接する法面ブロック１０の端部11Aと端部11Cとが重なり合っているので、隣接する法面ブロック１０間には隙間ができないように施工できる。また、端部11A,11C同士が重ね合わされることによって両者が面接触することになるから、法面Ｗの土砂や、後述する胴込空間１ｈ内の土砂やコンクリートが端部11A,11C同士の間から漏れることを防ぐことができる。よって、形成された擁壁１は、横に並んだ法面ブロック１０同士の結合を強くすることができるから、擁壁１の強度を高くすることができ、しかも、隣接する法面ブロック１０の端部11A,11C同士の間からの土砂やコンクリート等の漏れによる擁壁１の強度の低下も防ぐことができる。
【００１４】
また、端部11Aは、前壁１１の中央部11Bの前面から、後壁１２側に引っ込んでいるから、従来のブロック、つまり、側面同士を突き合わせて配置するブロックと同様の配置で法面ブロック１０を並べても、隣接する法面ブロック１０の端部11A,11C同士を重ね合わせることができる。言い換えれば、法面ブロック１０における前壁１１の中央部11Bの前面が同一面状に位置するように並べても、隣接する法面ブロック１０の端部11A,11C同士を重ね合わせた状態で設置することができる。よって、本実施形態の法面ブロック１０では、隣接する法面ブロック１０の端部11A,11C同士を重ね合わせるために特別な並べ方をする必要がないから、法面ブロック１０を容易かつ安定した状態で並べることができる。
しかも、前壁１１において、端部11Aの前面が中央部11Bの前面より引っ込んでいる量Ｄ１が端部11Cの厚さｔとほぼ同じであるから、端部11Cが端部11Aと重なり合っていても、端部11Cの前面を隣接する法面ブロック１０における前壁１１の中央部11Bの前面とほぼ同一面上に配置させることができる。よって、隣接する法面ブロック１０の前壁１１をスムーズに連続した面とすることができるから、擁壁１の外観も美しくすることができる。
【００１５】
さらに、後壁１２の幅方向の長さが前壁１１の幅方向の長さよりも短いので、前壁１１の端部11A,11C同士を重ね合わせても、隣接する法面ブロック１０の後壁１２の端部間には隙間を形成することができる。すると、隣接する法面ブロック１０の側壁１３同士が完全に面接触しないから、両者の間には空間（以下、胴込空間１ｈという）が形成される。この胴込空間１ｈは後壁１２より外方の空間と連通する、言い換えれば、法面Ｗと連続する空間となるから、胴込空間１ｈ内に法面Ｗの土砂Ｍが充填されれば、法面Ｗと法面ブロック１０の接触面積が大きくなる。つまり、胴込空間１ｈが形成されるように法面ブロック１０を形成しておけば、法面ブロック１０と法面Ｗとの接触面積を大きくすることができ、法面ブロック１０と法面Ｗとの結合を強くすることができる。このように、胴込空間１ｈに土砂Ｍのみを充填して法面ブロック１０を積み重ねた擁壁１の構造が空積構造である。
【００１６】
また、図２（Ｂ）に示すように、胴込空間１ｈにコンクリートＣを打設すれば、法面ブロック１０の重量を大きくでき、かつ、隣接する法面ブロック１０同士の結合を強くすることができるから、形成された擁壁１の強度を高くすることができ、法面ブロック１０を高く積むこと、つまり、擁壁１の高さを高くすることが可能となる。このように、胴込空間１ｈにコンクリートＣを打設して法面ブロック１０を積み重ねた擁壁１の構造が半練積構造である。
とくに、また、図２（Ｃ）に示すように、法面ブロック１０と法面Ｗとの間に裏打材３を設け、この裏打材３をコンクリートによって形成すれば、胴込空間１ｈ内のコンクリートＣと裏打材３を一体化することができる。すると、法面ブロック１０、胴込空間１ｈ内のコンクリートＣおよび裏打材３が一体化した擁壁１となるから、擁壁１の強度を高くすることができる。しかも、裏打材３のコンクリートの分だけ擁壁１の重量を増加させることができるので、擁壁１の高さをさらに高くすることが可能となる。このように、裏打材３を設け、かつ、胴込空間１ｈにコンクリートＣを打設して、裏打材３と胴込空間１ｈ内のコンクリートＣを一体化させて法面ブロック１０を積み重ねた擁壁１の構造が練積構造である。
【００１７】
さらに、法面ブロック１０の一対の側壁１３，１３を、前壁１１から後壁１２に向うに従って両者の間隔が狭くなるように形成しているから、隣接する法面ブロック１０の側壁１３間に形成される胴込空間１ｈは、前壁１１から後壁１２に向かって広くなる、言い換えれば、前壁１１から法面Ｗに向って広くなるように形成されることになる。すると、隣接する法面ブロック１０間にコンクリートを流し込むときに、流動抵抗を少なくできるから、隣接する法面ブロック１０の側壁１３間に、コンクリートのない空間やコンクリートが供給されない隙間ができないようにコンクリートを打設することができる。
【００１８】
図３（Ａ）に示すように、法面Ｗが水平方向に曲がった曲面となっている場合、隣接する法面ブロック１０において、前壁１１の端部11A,11C同士を重ね合わせる長さや角度を調整すれば、曲面状の法面Ｗであっても隣接する法面ブロック１０間に隙間ができないように施工することができる。とくに、端部11Aの前面と端部11Cの背面の両方、またはいずれか一方を前壁１１の前面に対して傾けておけば、端部11A,11C同士を重ね合わせる角度を変化させたときでも、両者の接触面積を大きくできるので、胴込空間１ｈ内に充填された土砂やコンクリートが端部11Aの前面と端部11Bの背面の隙間から漏れることも防ぐことができる。
なお、図３（Ａ）には、凸状の曲面を有する法面Ｗに擁壁１を形成した場合を示しているが、凹状の曲面を有する法面Ｗであっても、隣接する法面ブロック１０における前壁１１の端部11A,11C同士を重ね合わせる長さや角度を調整すれば、隣接する法面ブロック１０間に隙間ができないように施工することができる。
【００１９】
また、法面ブロック１０には前壁１１と後壁１２、一対の側壁１３，１３に囲まれた空間が形成されるが、この空間は法面ブロック１０の上下を貫通する貫通孔としてよいし、底部１４を設けて、内部に土砂などを溜めておける保持空間10hとしてもよい。
貫通孔とした場合には、法面ブロック１０を積み重ねてから、貫通孔を通して下方の法面ブロック１０における貫通孔の内部にコンクリートを流し込むことができる。すると、貫通孔内に供給されたコンクリートによって上下の法面ブロック１０が強固に固定されるから、擁壁１の強度を高くすることができる。
一方、保持空間10hとすれば、その内部に土砂を入れておき、前壁１１に、外部と保持空間10h内とを連通する連通部11hを設ければ（図４（Ａ）参照）、連通部11hを通して保持空間10h内の土砂に植物を植えることができるので、緑化された擁壁１を形成することも可能である。この場合、後壁１２に外部と保持空間10h内とを連通する連通孔12hを設けておけば、保持空間10h内に連通孔12hを通して法面Ｗから水等を供給できるので、好適である（図１、図４（Ａ）参照）。
【００２０】
なお、法面ブロック１０が水中に配置される場合には、連通孔11hを設けておき、保持空間10h内に石など配置しておけば、保持空間10h内を魚礁のように機能させることも可能となる（図３（Ｂ）、図４（Ａ）参照）。
さらになお、緑化された擁壁１としない場合でも、保持空間10h内に土砂等を入れておけば法面ブロック１０の重量を増加させることができるので、擁壁１の強度を高めることができる。
【００２１】
法面ブロック１０は、法面ブロック１０を積み重ねたときに、上下の法面ブロック１０間に隙間ができないように積んでもよいが、法面ブロック１０の上端に、上方の法面ブロック１０の下端と接触する突起部１５を設けておけば、上下の法面ブロック１０間に隙間を形成することができる。すると、前壁１１に上記のごとき連通部を設けなくても、外部と保持空間10h内を連通させることができるから、上下の法面ブロック１０間の隙間を通して擁壁１の前面から保持空間10h内の土砂に植物を植えることができる。
【００２２】
さらに、図４（Ｂ）、（Ｃ）に示すように、法面ブロック１０をポーラスコンクリートによって形成し、かつ、法面ブロック１０の前壁１１の前面に、上面に土砂を載せうる面を備えた棚部１６を形成しておけば、その上面に堆積した土砂に植物を生育させることができる。この場合、植物への水の供給や栄養分の補給が問題となるが、法面ブロック１０がポーラスコンクリートであるから、ポーラスコンクリート内の空隙を通して法面Ｗ等から水分が棚部１６に供給されるし、また、棚部１６の植物の根がポーラスコンクリート内の空隙を通して法面Ｗの土や保持空間10h内の土まで伸びることができる。よって、棚部１６上でも植物を長期間に生育させることができるから、前面に植物が育成された擁壁１とすることができ、かつ、擁壁１を簡単に緑化することができる。
【産業上の利用可能性】
【００２３】
本発明の法面ブロックは、山や河岸の斜面等の法面の崩壊を防ぎつつ、緑化する擁壁を構築するためのブロックに適しており、とくに、曲面が多い河川や道路、山間部等に構築する擁壁に適している。
【図面の簡単な説明】
【００２４】
【図１】本実施形態の法面ブロック１０の単体図であって、（Ａ）は平面図であり、（Ｂ）は正面図であり、（Ｃ）は（Ａ）のＣ−Ｃ線断面図である。
【図２】本実施形態の法面ブロック１０を法面Ｗに施工した状態の説明図であって、（Ａ）は空積構造の説明図であり、（Ｂ）は半練積構造の説明図であり、（Ｃ）は練積構造の説明図である。
【図３】（Ａ）は本実施形態の法面ブロック１０を曲面状の法面Ｗに施工した状態の説明図であり、（Ｂ）は法面ブロック１０によって形成された擁壁１の概略断面図である。
【図４】他の法面ブロック１０の概略説明図であり、（Ａ）は前壁１１に連通孔11hが形成された法面ブロック１０の概略説明図であり、（Ｂ）は棚部１６を備えた法面ブロック１０の概略説明図であり、（Ｃ）は（Ｂ）のＣ−Ｃ線断面図である。
【符号の説明】
【００２５】
１        擁壁
１ｈ      胴込空間
１０        法面ブロック
１１        前壁
１２        後壁
１３        側壁
１４        底部
１６        棚部
Ｗ        法面
【図１】
2006144306.tif 000003
【図２】
2006144306.tif 000004
【図３】
2006144306.tif 000005
【図４】
2006144306.tif 000006